(57)【要約】【課題】  使用する遊技機１台に対して１台のメダル貸出装置を設置することなく、遊技機毎の売上データを正確に集計できるメダル貸出装置を提供すること。【解決手段】  隣接した左右の遊技機の受け皿近傍まで回転可動する払出ノズル１０と、払出ノズル１０が左右どちらに可動したのかを検出し、右に回転可動した場合及び左に回転可動した場合にそれぞれ右側遊技機選択状態を示す右側遊技機選択信号及び左側遊技機選択状態を示す左側遊技機選択信号を出力する右側可動検出センサ２１及び左側可動検出センサ２２を有する。制御装置１５は、紙幣挿入口４に紙幣が挿入され、払出ノズル１０が右に回転可動したときに送出される前記右側遊技機選択信号を受け、払出ノズル１０が左に回転可動したとき送出される前記左側遊技機選択信号を受け、メダル払出装置１２に対して、メダルを払出ノズル１０から払い出すよう制御する。【選択図】      図２
2005102990.tif 000002
【特許請求の範囲】
【請求項１】
遊技機に隣接して設置されるメダル貸出装置において、
隣接した左右の遊技機の受け皿近傍まで回転可動する可動ノズルと、
左右の遊技機のいずれか一方の遊技者からのアクセスを検出し、アクセス検出信号を出力するアクセス検出手段と、
メダル払出回数を検出するメダル払出センサ及びメダルを払い出す払出モータを備えたメダル払出手段と、
紙幣挿入口に挿入された紙幣を識別し、紙幣識別信号を出力する紙幣識別手段と、
前記アクセス検出信号及び前記紙幣識別信号に応答して前記可動ノズルからメダルを払い出すよう前記メダル払出手段を制御する制御手段
を有することを特徴とするメダル貸出装置。
【請求項２】
前記紙幣識別手段はアクセスした遊技者のアクセス遊技機における売上金額データを出力し、
前記メダル払出手段は前記アクセス遊技機におけるメダル払出回数データを出力し、
前記制御手段は、前記売上金額データ又は前記メダル払出回数データからなる販売データを記憶する記憶手段を備え、前記アクセス遊技機に対応した前記販売データを前記記憶手段に対して更新させると共に、前記メダル払出手段の作動時に、前記記憶手段に記憶された前記アクセス遊技機に対応した販売データを売上信号として外部に出力させることを特徴とする請求項１に記載のメダル貸出装置。
【請求項３】
前記紙幣識別手段はアクセスした遊技者のアクセス遊技機における売上金額データを出力し、前記メダル払出手段は前記アクセス遊技機におけるメダル払出回数データを出力し、
さらに、前記売上金額データ又は前記メダル払出回数データからなる販売データを記憶する記憶手段を備え、前記アクセス遊技機に対応した前記販売データを前記記憶手段に対して更新させると共に、前記メダル払出手段の作動時に、前記記憶手段に記憶された前記アクセス遊技機に対応した販売データを売上信号として外部に出力させる販売データ制御手段を有することを特徴とする請求項１に記載のメダル貸出装置。
【請求項４】
前記アクセス検出手段は、前記可動ノズルが左右どちらに可動したのかを検出し、右に回転可動した場合及び左に回転可動した場合にそれぞれ右側遊技機選択状態を示す右側遊技機選択信号及び左側遊技機選択状態を示す左側遊技機選択信号を出力する右側可動検出センサ及び左側可動検出センサを備え、
前記制御手段は、前記紙幣挿入口に紙幣が挿入され、前記可動ノズルが右に回転可動したとき前記右側遊技機選択信号を受け、前記可動ノズルが左に回転可動したとき前記左側遊技機選択信号を受け、前記メダル払出手段に対して、メダルを前記可動ノズルから払い出すよう制御する
ことを特徴とする請求項１又は２に記載のメダル貸出装置。
【請求項５】
前記紙幣挿入口を２つ備え、
前記可動ノズルは所定の駆動源の駆動力により回転可動し、
前記アクセス検出手段は、一方の紙幣挿入口に紙幣が挿入された場合に一方の遊技機選択状態を示す第１の遊技機選択信号を出力する第１の可動検出センサと、他方の紙幣挿入口に紙幣が挿入された場合に他方の遊技機選択状態を示す第２の遊技機選択信号を出力する第２の可動検出センサを備え、
前記制御手段は、前記第１の遊技機選択信号又は前記第２の遊技機選択信号を受け、該遊技機選択信号に対応した遊技機側へ前記可動ノズルを前記駆動力により回転可動させ、前記メダル払出手段に対してメダルを前記可動ノズルから払い出すよう制御する
ことを特徴とする請求項１又は２に記載のメダル貸出装置。
【請求項６】
前記可動ノズルは所定の駆動源の駆動力により回転可動し、
前記アクセス検出手段は、前記紙幣挿入口に紙幣が挿入された場合に、右側遊技機選択状態を示す右側遊技機選択信号を出力する右側選択スイッチ及び左側遊技機選択状態を示す左側遊技機選択信号を出力する左側選択スイッチを備え、
前記制御手段は、前記右側遊技機選択信号又は前記左側遊技機選択信号を受け、該遊技機選択信号に対応した遊技機側へ前記可動ノズルを前記駆動力により回転可動させ、前記メダル払出手段に対してメダルを前記可動ノズルから払い出すよう制御する
ことを特徴とする請求項１又は２に記載のメダル貸出装置。
【請求項７】
前記可動ノズルは所定の駆動源の駆動力により回転可動し、
前記アクセス検出手段は、前記紙幣挿入口に紙幣が挿入された場合に、右側遊技機選択状態を示す右側遊技機選択信号を出力する挿入口右側に形成された右側近接スイッチ及び左側遊技機選択状態を示す左側遊技機選択信号を出力する挿入口左側に形成された左側近接スイッチを備え、
前記制御手段は、前記右側遊技機選択信号又は前記左側遊技機選択信号を受け、該遊技機選択信号に対応した遊技機側へ前記可動ノズルを前記駆動力により回転可動させ、前記メダル払出手段に対してメダルを前記可動ノズルから払い出すよう制御する
ことを特徴とする請求項１又は２に記載のメダル貸出装置。
【請求項８】
前記売上信号には選択された遊技機の機械番号に関するデータが含まれていることを特徴とする請求項２〜７のいずれかに記載のメダル貸出装置。
【請求項９】
前記制御手段は、前記右側遊技機選択信号及び前記左側遊技機選択信号並びに前記売上信号を入力する入力手段と、前記右側遊技機売上信号及び前記左側遊技機売上信号を外部に出力する出力手段を有することを特徴とする請求項８に記載のメダル貸出装置。
【請求項１０】
前記制御手段は、前記右側遊技機選択信号及び前記左側遊技機選択信号並びに前記売上信号を入力する入力手段と、それぞれ前記右側遊技機売上信号及び前記左側遊技機売上信号を外部に出力する第１及び第２の出力手段を有することを特徴とする請求項８に記載のメダル貸出装置。
【請求項１１】
前記制御手段は、前記記憶手段に記憶された右側遊技機及び左側遊技機に対応した販売データを前記出力手段に入力させることを特徴とする請求項９に記載のメダル貸出装置。
【請求項１２】
前記制御手段は、前記記憶手段に記憶された右側遊技機及び左側遊技機に対応した販売データをそれぞれ前記第１及び前記第２の出力手段に入力させることを特徴とする請求項１０に記載のメダル貸出装置。
【請求項１３】
前記制御手段は、
前記入力部が、前記右側可動検出センサからの右側遊技機選択信号及び前記左側可動検出センサからの左側遊技機選択信号を入力していない場合に、前記メダル払出手段の動作を停止させることを特徴とする請求項１１又は１２に記載のメダル貸出装置。
【請求項１４】
さらに表示装置を備え、
前記制御手段は、前記メダル払出手段の動作停止中の場合に、前記表示装置に警告信号を送出し、表示画面に警告表示を行わせることを特徴とする請求項１３に記載のメダル貸出装置。
【請求項１５】
さらに音声出力装置を備え、
前記制御手段は、前記メダル払出手段の動作停止中の場合に、前記音声出力装置に警告信号を送出し、音声により警告を促すことを特徴とする請求項１３に記載のメダル貸出装置。
【請求項１６】
前記制御手段は、
前記メダル払出手段によるメダル払出動作完了した場合、前記遊技機選択手段に対して遊技機選択状態をリセットさせることを特徴とする請求項１４又は１５に記載のメダル貸出装置。
【請求項１７】
前記制御手段は、さらに前記紙幣識別手段の識別制御を行うことを特徴とする請求項４〜７のいずれかに記載のメダル貸出装置。
【請求項１８】
前記アクセス検出手段は、前記可動ノズルが左右どちらに可動したのかを検出し、右に回転可動した場合及び左に回転可動した場合にそれぞれ右側遊技機選択状態を示す右側遊技機選択信号及び左側遊技機選択状態を示す左側遊技機選択信号を出力する右側可動検出センサ及び左側可動検出センサを備え、
前記販売データ制御手段は、前記紙幣挿入口に紙幣が挿入され、前記可動ノズルが右に回転可動したとき前記右側遊技機選択信号を受け、前記可動ノズルが左に回転可動したとき前記左側遊技機選択信号を受け、前記メダル払出手段に対して、メダルを前記可動ノズルから払い出すよう制御する
ことを特徴とする請求項３に記載のメダル貸出装置。
【請求項１９】
前記紙幣挿入口を２つ備え、
前記可動ノズルは所定の駆動源の駆動力により回転可動し、
前記アクセス検出手段は、一方の紙幣挿入口に紙幣が挿入された場合に一方の遊技機選択状態を示す第１の遊技機選択信号を出力する第１の可動検出センサと、他方の紙幣挿入口に紙幣が挿入された場合に他方の遊技機選択状態を示す第２の遊技機選択信号を出力する第２の可動検出センサを備え、
前記制御手段は、前記第１の遊技機選択信号又は前記第２の遊技機選択信号を受け、該遊技機選択信号に対応した遊技機側へ前記可動ノズルを前記駆動力により回転可動させ、前記メダル払出手段に対してメダルを前記可動ノズルから払い出すよう制御する
ことを特徴とする請求項３に記載のメダル貸出装置。
【請求項２０】
前記可動ノズルは所定の駆動源の駆動力により回転可動し、
前記アクセス検出手段は、前記紙幣挿入口に紙幣が挿入された場合に、右側遊技機選択状態を示す右側遊技機選択信号を出力する右側選択スイッチ及び左側遊技機選択状態を示す左側遊技機選択信号を出力する左側選択スイッチを備え、
前記制御手段は、前記右側遊技機選択信号又は前記左側遊技機選択信号を受け、該遊技機選択信号に対応した遊技機側へ前記可動ノズルを前記駆動力により回転可動させ、前記メダル払出手段に対してメダルを前記可動ノズルから払い出すよう制御する
ことを特徴とする請求項３に記載のメダル貸出装置。
【請求項２１】
前記可動ノズルは所定の駆動源の駆動力により回転可動し、
前記アクセス検出手段は、前記紙幣挿入口に紙幣が挿入された場合に、右側遊技機選択状態を示す右側遊技機選択信号を出力する挿入口右側に形成された右側近接スイッチ及び左側遊技機選択状態を示す左側遊技機選択信号を出力する挿入口左側に形成された左側近接スイッチを備え、
前記制御手段は、前記右側遊技機選択信号又は前記左側遊技機選択信号を受け、該遊技機選択信号に対応した遊技機側へ前記可動ノズルを前記駆動力により回転可動させ、前記メダル払出手段に対してメダルを前記可動ノズルから払い出すよう制御する
ことを特徴とする請求項３に記載のメダル貸出装置。
【請求項２２】
前記駆動力はモータ駆動であることを特徴とする請求項５，６，７，１９，２０，２１に記載のメダル貸出装置。
【発明の詳細な説明】
【技術分野】
【０００１】
この発明は、メダルを使用させてゲームを実行するスロットマシンなどの遊技機に隣接して設置させるメダル貸出装置に関し、特にメダル貸出装置によって貸し出されたメダルがどの遊技機に貸し出されたのかを正確に知ることができるメダル貸出装置に関するものである。
【背景技術】
【０００２】
従来、スロットマシンなどのメダルを使用させてゲームを実行する遊技機が設置されている遊技場においては、遊技客にメダルを貸し出す場合、図１７に示すように遊技機２台の間に１台のメダル貸出装置（いわゆる台間メダル貸機）が設置されており、１台のメダル貸出装置を両側の遊技機の遊技客が利用していた。遊技客はメダル貸出装置の前面の払出口に払い出されたメダルを手で取り出して、自分の遊技する遊技機のメダル受皿にメダルを逐次移動させる必要があり、操作が煩雑であった。
【０００３】
また、一方の遊技客がメダル貸出装置よりメダルを払い出した時に、他方の遊技客がメダルを借りようと払い出した場合には、メダル貸出装置の払出口には両方の遊技客のメダルが混在してしまい、遊技客間のトラブルが発生する場合があった。さらに、遊技場では、左右どちらの遊技機の遊技客がメダルを借りたのか（すなわち、売り上げたのか）を判別することができなかったため、遊技客間のトラブルを防止するのに有効な手段がなく困惑していたと共に、遊技機毎の売上データを正確に知ることができず、荒利率計算や割数調整は管理者の経験により判断するしかなかった。
【０００４】
したがって、この種のメダル貸出装置が備えられた遊技場では、各メダル貸出装置の売上データを集計し、特定のグループ毎（島単位）で集計処理を行うか、もしくは両隣の各機種に特定のアルゴリズムに従って売上データを按分して機種毎に集計処理を行っていたため、遊技機毎の正確な売上データを得ることができないという問題があった。
【０００５】
この問題を解決するために、以下に述べるメダル貸出装置（例えば、特許文献１参照）が知られている。このメダル貸出装置は、硬貨の挿入口を左右の遊技機に対応して別々に備え、それぞれの挿入口に挿入された硬貨を判別して、判別された金額をその挿入口に対応する遊技機の売上データとして集計処理している。しかし、この方法では、台間メダル貸出装置より払い出されたメダルは払出口に払い出されるため、依然遊技客間のトラブル解消には有効ではなかった。また、メダル貸出装置より払い出されたメダルは、遊技客の手によって遊技機の受け皿に移動させる必要があり、操作が煩雑であった。
【０００６】
又、以下の特許文献２に開示されているメダル貸出装置では、図１８に示すように、１台の遊技機に対し１台のメダル貸出装置を設置し、メダル貸出装置前面に備えられたノズルにより側方に設置された遊技機の受け皿に直接メダルを払い出す構成が開示されている。この構成によれば、１台の遊技機に対して１台のメダル貸出装置が設置されるため、各遊技機毎の売上データは正確に集計できると共に、隣の遊技機の遊技客とトラブルを発生させる恐れはない。しかし、１台の遊技機に対して１台のメダル貸出装置を設置しているため、機器購入やメンテナンスなどの費用などコストがかかり、遊技場経営の採算を悪化させる。また、遊技場内に多くのメダル貸出装置を配置しなくてはならず、限られた店舗面積においては遊技機の設置台数が減少してしまい、売上が減少するという問題点があった。
【特許文献１】特開昭６１−１４９１８４号公報
【特許文献２】意匠登録第１０６３６０１号公報
【発明の開示】
【発明が解決しようとする課題】
【０００７】
しかしながら、上記した従来技術は、遊技機２台の間に１台のメダル貸出装置を設置した構成となっているため、１台のメダル貸出装置を両側の遊技機の遊技客が利用している遊技場では、各遊技機毎の売上データを正確に集計することができない。したがって、売上データの集計は、管理者の経験に頼ったり、特定のアルゴリズムで按分して推定するなどしていた。遊技客はメダル貸出装置の前面の払出口に払い出されたメダルを手で取り出して、自分の遊技する遊技機のメダル受皿にメダルを逐次移動させる必要があり、操作が煩雑であった。また、一方の遊技客がメダル貸出装置よりメダルを払い出した時に、他方の遊技客がメダルを借りようと払い出した場合には、メダル貸出装置の払出口には両方の遊技客のメダルが混在してしまい、遊技客間のトラブルが発生する場合があった。また、遊技機１台に、１台のメダル貸出装置を設置している遊技場では、当該装置導入のためのスペースを考慮する必要があり、また装置管理のコストが高くなるという問題があった。
【０００８】
本発明は、上記の問題点を鑑みなされたもので、その目的とするところは、スロットマシンなどのメダルを使用する遊技機１台に対して１台のメダル貸出装置を設置することなく、遊技機毎の売上データを正確に集計できるようにすると共に、遊技者がメダル貸出装置から払い出されたメダルを逐次移動させる煩雑さを解消させるメダル貸出装置を提供することにある。
【課題を解決するための手段】
【０００９】
本発明に係るメダル貸出装置は、隣接した左右の遊技機の受け皿近傍まで回転可動する可動ノズルと、左右の遊技機のいずれか一方の遊技者からのアクセスを検出し、アクセス検出信号を出力するアクセス検出手段と、メダル払出回数を検出するメダル払出センサ及びメダルを払い出す払出モータを備えたメダル払出手段と、紙幣挿入口に挿入された紙幣を識別し、紙幣識別信号を出力する紙幣識別手段と、前記アクセス検出信号及び前記紙幣識別信号に応答して前記可動ノズルからメダルを払い出すよう前記メダル払出手段を制御する制御手段を有することを特徴とする。
【００１０】
また、前記紙幣識別手段はアクセスした遊技者のアクセス遊技機における売上金額データを出力し、前記メダル払出手段は前記アクセス遊技機におけるメダル払出回数データを出力し、前記制御手段は、前記売上金額データ又は前記メダル払出回数データからなる販売データを記憶する記憶手段を備え、前記アクセス遊技機に対応した前記販売データを前記記憶手段に対して更新させると共に、前記メダル払出手段の作動時に、前記記憶手段に記憶された前記アクセス遊技機に対応した販売データを売上信号として外部に出力させることを特徴とする。
【００１１】
また、前記アクセス検出手段は、前記可動ノズルが左右どちらに可動したのかを検出し、右に回転可動した場合及び左に回転可動した場合にそれぞれ右側遊技機選択状態を示す右側遊技機選択信号及び左側遊技機選択状態を示す左側遊技機選択信号を出力する右側可動検出センサ及び左側可動検出センサを備え、前記制御手段は、前記紙幣挿入口に紙幣が挿入され、前記可動ノズルが右に回転可動したとき前記右側遊技機選択信号を受け、前記可動ノズルが左に回転可動したとき前記左側遊技機選択信号を受け、前記メダル払出手段に対して、メダルを前記可動ノズルから払い出すよう制御することを特徴とする。
【００１２】
また、前記紙幣挿入口を２つ備え、前記可動ノズルは所定の駆動源の駆動力により回転可動し、前記アクセス検出手段は、一方の紙幣挿入口に紙幣が挿入された場合に一方の遊技機選択状態を示す第１の遊技機選択信号を出力する第１の可動検出センサと、他方の紙幣挿入口に紙幣が挿入された場合に他方の遊技機選択状態を示す第２の遊技機選択信号を出力する第２の可動検出センサを備え、前記制御手段は、前記第１の遊技機選択信号又は前記第２の遊技機選択信号を受け、該遊技機選択信号に対応した遊技機側へ前記可動ノズルを前記駆動力により回転可動させ、前記メダル払出手段に対してメダルを前記可動ノズルから払い出すよう制御することを特徴とする。
【００１３】
また、前記可動ノズルは所定の駆動源の駆動力により回転可動し、前記アクセス検出手段は、前記紙幣挿入口に紙幣が挿入された場合に、右側遊技機選択状態を示す右側遊技機選択信号を出力する右側選択スイッチ及び左側遊技機選択状態を示す左側遊技機選択信号を出力する左側選択スイッチを備え、前記制御手段は、前記右側遊技機選択信号又は前記左側遊技機選択信号を受け、該遊技機選択信号に対応した遊技機側へ前記可動ノズルを前記駆動力により回転可動させ、前記メダル払出手段に対してメダルを前記可動ノズルから払い出すよう制御することを特徴とする。
【００１４】
また、前記可動ノズルは所定の駆動源の駆動力により回転可動し、前記アクセス検出手段は、前記紙幣挿入口に紙幣が挿入された場合に、右側遊技機選択状態を示す右側遊技機選択信号を出力する挿入口右側に形成された右側近接スイッチ及び左側遊技機選択状態を示す左側遊技機選択信号を出力する挿入口左側に形成された左側近接スイッチを備え、前記制御手段は、前記右側遊技機選択信号又は前記左側遊技機選択信号を受け、該遊技機選択信号に対応した遊技機側へ前記可動ノズルを前記駆動力により回転可動させ、前記メダル払出手段に対してメダルを前記可動ノズルから払い出すよう制御することを特徴とする。
【発明の効果】
【００１５】
スロットマシンなどのメダルを使用する遊技機１台に対して１台のメダル貸機を設置する必要がなく、遊技機毎の売上データを正確に集計できるようにするメダル貸出装置及び売上データ管理システムを提供することができる。
【発明を実施するための最良の形態】
【００１６】
以下、本発明の第１の実施の形態について図１〜図７を参照して説明する。図１は本発明の第１の実施形態にかかるメダル貸出装置の正面図であり、図２はメダル貸出装置のブロックダイアグラム図である。
【００１７】
遊技機間に設置されるメダル貸出装置１は、高さ約８１０ｍｍ、幅約１００ｍｍ、奥行き約２４０ｍｍで縦長略矩形状となっており、その前面には、紙幣識別装置１１を収納する紙幣識別機扉２が備えられ、紙幣識別機扉２は紙幣識別機扉錠３で施錠されている。紙幣識別機扉３の前面には、紙幣挿入口４が備えられ、内部の紙幣識別装置１１に紙幣を案内する。紙幣が紙幣挿入口４に挿入されると、紙幣識別装置１１内部に搬送され、紙幣識別装置１１内部に設置された各種センサ（図示せず）より識別情報を検出し、その検出結果を判定し、挿入された紙幣が真券か、偽券かを識別する。挿入された紙幣は、真券であると識別された場合には、紙幣識別装置１１内部に設置された紙幣収納庫（図示せず）に収納され、偽券と判断された場合には、紙幣挿入口４に返却する。なお、紙幣識別装置１１による紙幣の搬入と識別の技術は周知の技術であるため説明を省略する。また、紙幣挿入口４の下方にはメダル貸出状態や各種情報表示を行なう７セグメントＬＥＤからなる表示装置５が備えられている。
【００１８】
メダル貸出装置１の前面下部には、払出ノズル１０を有するメダル払出装置扉８が備えられている。メダル払出装置扉８の内部には、紙幣識別装置１１に挿入された紙幣の額に基づき所定枚数のメダルを搬出するメダル払出装置１２が設置されており、メダル払出装置１２から搬出されたメダルは、払出ノズル１０により遊技機の受皿に直接払い出される。
【００１９】
紙幣識別機扉２とメダル払出装置扉８の間には、メダル補給用扉６が備えられ、メダル補給用扉錠７により施錠されている。メダル補給用扉６の内部には、メダル貯留タンク１３が設置され、メダル払出装置１２にメダルを供給するようになっている。係員がメダル補給用扉６を開くことにより、メダル貯留タンク１３内に、メダルを補充することができる。また、メダル貯留タンク１３には、内部に貯留されたメダル量が少なくなったことを検出するメダル要求センサ１４が備えられており、メダル量が少なくなったことを検知すると、制御装置１５により補給信号１８が外部のホールコンピュータ等の管理装置を経由し、外部のメダル自動供給装置１９に送信され、メダル自動供給装置１９によりメダル貯留タンク１３内にメダルが補充される。
【００２０】
紙幣識別機扉２、メダル補給用扉６及びメダル払出装置扉８の各扉は、板状の開閉扉であり、各扉の下部はメダル貸出装置１の各部に、蝶番（図示せず）により開閉自在にそれぞれ固着されている。
【００２１】
紙幣識別機扉錠３、メダル補給用扉錠７、メダル払出装置扉錠９の各錠は、紙幣を回収する管理者が操作する鍵と、メダルの補充やメンテナンスを行なう一般従業員が操作する鍵を区別することが望ましい。すなわち、一般従業員用鍵（図示せず）は、メダル補給用扉錠７、メダル払出装置扉錠９を開錠することができ、管理者用鍵（図示せず）は、紙幣識別機扉錠３、メダル補給用扉錠７、メダル払出装置扉錠９のすべての扉を開錠できるようにして、一般従業員用鍵では紙幣を取り扱えないようにすることが、従業員の不正防止の面で効果がある。また、メダル補給用扉６とメダル払出装置扉８と分離させずに、１つのメダル用扉として一体化させてもよい。
【００２２】
なお、紙幣識別装置１１において、真券と識別された紙幣は、紙幣識別装置内の紙幣収納庫に収納せずに、メダル貸出装置の後方に接続された紙幣回収用ベルトコンベアにより、直ちに店舗金庫に回収するようにすれば、管理者による紙幣の回収の工数削減になるとともに、防犯上の面でも好適である。
【００２３】
図３及び図４は払出ノズルの回転可動による遊技機選択センサの動作を説明する図である。払出ノズル１０は遊技者の手による操作により左右方向に回転可動が可能である。払出ノズル１０を右側の遊技機２３の受皿２４に直接払い出せる状態まで矢印方向に回転可動させると、第２の位置検出インデックス２６が第２の遊技機選択センサ２２に検出される。また、払出ノズル１０を左側の遊技機２３の受皿２４に直接払い出せる状態まで矢印方向に回転可動させると、第１の位置検出インデックス２５が第１の遊技機選択センサ２１に検出される。第１の遊技機選択センサ２１もしくは第２の遊技機選択センサ２２が検出された状態で、手を離すと、待機位置保持バネ２７のバネ力により、払出ノズル１０は待機位置に自動的に復帰する。
【００２４】
第１の遊技機選択センサ２１もしくは第２の遊技機選択センサ２２がオンになると、メダル貯留タンク１３内に貯留されたメダルは、メダル払出装置１２より１枚ずつ搬出され、払出ノズルを経由して遊技機の受皿に直接払い出される。この払い出しと同時に、第１の遊技機選択センサ２１に対応した第１の売上信号１６−１もしくは第２の遊技機選択センサ２２に対応した第２の売上信号１６−２が選択的に矩形状のパルス信号として遊技場の集中管理用コンピュータ（以下、ホールコンピュータと呼ぶ。）２０に出力される。
【００２５】
このパルス信号は、例えば１０００円紙幣専用の紙幣識別機の場合、１０００円紙幣投入、メダル５０枚払出時において、以下の（１）〜（４）のいずれかの信号を外部に出力する。
【００２６】
（１）１０回のパルス信号出力（売上金額１００円につき１回のパルス信号）
（２）１回のパルス信号出力（売上金額１０００円につき１回のパルス信号）
（３）５回のパルス信号出力（払出回数１０回につき１回のパルス信号）
（４）１回のパルス信号出力（取引回数１回につき１回のパルス信号）
【００２７】
又、高額紙幣のプレミア払出における場合には、１０００円紙幣、２０００円紙幣など多金種対応の紙幣識別機を搭載した場合において、１０００円紙幣投入時はメダル５０枚払出に、２０００円紙幣投入時はメダル１１０枚払出に設定されることが予想される。このときに、例えば２０００円紙幣投入、メダル１１０枚払出時において、以下の（５）〜（７）のいずれかの信号を外部に出力する。
【００２８】
（５）２０回のパルス信号出力（売上金額１００円につき１回のパルス信号）
（６）２回のパルス信号出力（売上金額１０００円につき１回のパルス信号）
（７）１１回のパルス信号出力（払出回数１０回につき１回のパルス信号）
【００２９】
制御装置１５より出力された上記売上信号は、遊技場のホールコンピュータ２０の入力端子に入力される。
【００３０】
これにより、ホールコンピュータ２０では、各遊技機に対応した売上信号を受信することができ、各遊技機毎に売上集計を行なうことができる。また、各遊技機から別途送信される当たり／外れ情報などにより、出球率や収益率を正確に集計することができる。売上信号は矩形状のパルス信号のみならず、ＬＡＮ接続や無線通信などにより、予め割り振られた機械番号や売上時刻などと同時に売上金額情報を送信するなど、既存の通信技術が応用可能なのは言うまでもない。
【００３１】
本実施の形態に係るメダル貸出装置の動作について、図５の制御処理フローチャートを参照して説明する。
【００３２】
メダル貸出装置１の紙幣挿入口４に紙幣が挿入されておらず、メダル払出装置１２も作動していない、いわゆる待機状態においては、制御装置１５はメダル要求センサ１４を監視している（ステップＳ１）。メダル貯留タンク１３に設置されたメダル要求センサ１４からのオン信号（メダル有り）が検出された場合には、次の紙幣挿入検出処理（ステップＳ３）に移行する。オン信号が検出されなかった場合（オフ：メダル無し）には、補給要求信号出力処理（ステップＳ２）において補給信号１８を出力する。補給信号１８は、係員詰所や遊技場内に設置されたパトライトやランプ等に接続され、係員にメダル補充を行なう旨の喚起を行なう等適宜処理される。より望ましくは、補給信号１８は、ホールコンピュータ２０に接続され、該信号を受信したホールコンピュータ２０はメダル貸出装置１内のメダル貯留タンク１３にメダルが少なくなったと判断し、適宜、メダル自動供給装置１９等を作動させ、メダルを自動的に補充し、メダル切れトラブルによりメダル貸出装置１が貸出停止になり販売機会を損失することを防止する。
【００３３】
次に、紙幣挿入口４の内部に備えられた紙幣挿入センサ３１により、紙幣が挿入されたかを検出する（ステップＳ３）。紙幣を検出していない場合には、ステップＳ１処理に戻る。
【００３４】
ここで、図３におけるメダル貸出装置１の右側に配置される遊技機２３の遊技客が紙幣を紙幣挿入口４に挿入すると、紙幣挿入センサ３１がオンし、紙幣識別処理（ステップＳ４）に進む。
【００３５】
紙幣識別処理（ステップＳ４）では、紙幣識別装置１１内の駆動モータ（図示せず）により駆動される搬送ベルトによって、紙幣識別装置１１の内部に搬送される。搬送通路に設置された光識別センサ３２や磁気識別センサ３３からの識別情報により、真券か偽券かの識別が行なわれる。
【００３６】
紙幣識別処理（ステップＳ４）において、偽券と識別された場合には、紙幣識別装置１１内の搬送ベルトを駆動する搬送モータ３４を逆転させ、紙幣を紙幣挿入口４に返却し、処理ステップＳ１に戻り、待機状態となる（ステップＳ５，ステップＳ６）。
【００３７】
紙幣識別処理（ステップＳ４）において、真券と識別された場合には、紙幣識別装置１１内の搬送ベルトを駆動する搬送モータ３４を更に駆動させ、紙幣収納庫（図示せず）に収納する（ステップＳ５，ステップＳ７）。
【００３８】
尚、この紙幣挿入センサ３１、光識別センサ３２、磁気識別センサ３３からの識別情報に基づいてＣＰＵ５１で算出された、選択された遊技機に対する挿入金額を売上金データとしてＲＡＭ５６に保存される。この具体的な説明は以下に述べることとする。
【００３９】
これ以降行なわれる遊技機選択処理（ステップＳ８〜Ｓ１０）は本発明の特徴的な処理である。この遊技機選択処理は、紙幣収納後に行なわれる。望ましい遊技機選択処理は、紙幣識別処理（ステップＳ４，ステップＳ５）において真券と判断された場合に、紙幣収納処理と同時並行にて処理されることである。これはこの両処理が同時に行われることにより遊技客の待ち時間が少なくなるからである。
【００４０】
また、紙幣識別装置の紙幣搬送、識別、収納を制御する制御装置と、メダル貸出装置のメダルセンサ監視、遊技機選択センサ監視、メダル払出、外部信号出力を制御する制御装置は、個別の制御装置とすると、個別の基板を作成せねばならず、また制御装置間を接続するケーブルや通信処理に関わるソフトウエアなどを作成しなくてはいけなくなり、コスト高になる恐れがある。したがって、上記した機能を有する２つの制御装置は、１つの処理装置ＣＰＵにて制御されることが、コスト面からより望ましい。本発明は、図７に示すように紙幣識別装置及びメダル貸出装置の制御を１つのＣＰＵ５１にて制御している。
【００４１】
メダル貸出装置１の右側に配置される遊技機２３の遊技客は、自分の遊技する遊技機の受皿にメダルを払い出すべく、払出ノズル１０を自分の側に回転可動させる。右側に払出ノズル１０を可動させると、払出ノズル１０に備えられた第２の位置検出インデックス２６が第２の遊技機選択センサ２２により検出され、遊技機選択センサ２はオン信号を出力する。この出力されたオン信号は、前記右側の遊技機が選択された状態を示す信号であり、入力ポート５２を介してメモリ（ＲＡＭ）５６に保存される。この遊技機選択状態を保存する処理が行なわれた後、売上信号出力処理に進む。ここでは、メモリ５６に保存されている遊技機選択状態を読み出し、当該選択された遊技機における売上金データが出力ポート５７、信号回路インターフェース回路５８を介して売上信号１６−１，１６−２として出力され（ステップＳ１２）、メダルの払出処理が行なわれる（ステップＳ１３）。
【００４２】
一方、紙幣を挿入した遊技客が、払出ノズル１０を可動させない場合には、払出ノズル１０を自分の遊技機の方に倒すように操作を促す案内を表示装置５に表示するよう警告表示処理（ステップＳ１０）を行う。尚、上記案内を音声による案内や表示装置（液晶画面）にアニメーション表示を行って案内するような制御を行ってもよい。
【００４３】
例えば、第２の遊技機選択センサ２２により払出ノズル１０の可動が検出されると、第２の遊技機選択センサ２２からオン信号が出力される。当該オン信号を受けた制御装置１５は、ホールコンピュータ２０に対して、第２の売上信号１６−２を送信する。第２の売上信号１６−２は、例えば、１００円につき１００ミリ秒の矩形波パルスに対応するリレー回路より出力される接点信号である。千円紙幣が挿入された場合には、１０パルスの接点信号がホールコンピュータ２０に送信される。ホールコンピュータ２０では、各売上信号を個別に集計し、売上金額を集計している。したがって、ホールコンピュータ２０では、１台のメダル貸出装置において、左右いずれかの遊技機の遊技客がメダルをいつ、いくら、借りたのかを正確に把握することが可能となる。
【００４４】
次に、制御装置１５は、メダル払出装置１２より所定枚数（例えば５０枚）のメダルの払出しを行なう（ステップＳ１３）。より望ましくは、このメダル払出処理（ステップＳ１３）は、売上信号出力処理（ステップＳ１１もしくはステップＳ１２）と同時並行にて処理されるように制御するようにしてもよい。この場合には、遊技客の待ち時間が少なくなるという利点がある。
【００４５】
メダル払出装置１２から払い出されたメダルは、払出ノズル１０の内部を経由して、紙幣を挿入した遊技客の遊技機の受皿に払い出されることになる。この時メダル払出装置１２に内蔵されたメダル払出センサ３５から出力されるメダル払出枚数データは上記した売上金データと共に売上信号としてホールコンピュータ２０に出力される。
【００４６】
また、払出が終了すると、払出ノズル１０は、待機位置保持バネ２７の作用により、待機位置に移動する。したがって、メダル貸出装置の払出口に払い出されたメダルを、自分の遊技機の受皿に移すことなく、遊技を行なうことができる。
【００４７】
次に本発明の第２の実施の形態について図８〜図１４を参照して説明する。本実施の形態は、紙幣挿入部に図１２に示すように左右に紙幣挿入口６４−１，６４−２を設け、払出ノズル７０がモータにより左右に移動できるというものである。以下、具体的な動作について述べる。左右の紙幣挿入口のいずれかに紙幣を挿入した場合、その挿入口側に配置された遊技機側に向かって払出ノズル７０がモータによるノズル駆動装置７１によって回転移動する。ここで、モータ駆動は図８に示すようにモータ２００とギヤボックス３００からなるノズル駆動手段７１によって行なわれる。
【００４８】
上記した処理を制御するのは制御装置１１５である。以下、制御装置１１５が行う処理について図１３の制御処理フローチャートを参照して具体的に説明する。処理開始から紙幣挿入確認（ステップＳ１０１〜Ｓ１０３）までは上記した第１の実施の形態における処理ステップＳ１〜Ｓ３までと同じである。ここで図９におけるメダル貸出装置６１の右側に配置される回胴式遊技機１２３の遊技客が紙幣を紙幣挿入口６４、例えば紙幣挿入口６４−２に挿入すると、紙幣挿入口６４−２近傍に設置された第２の遊技機選択センサ１２２が紙幣挿入を検出し、オン信号を出力し、入力ポート１５２を介して前記右側の遊技機が選択された状態を示すオン信号が入力ポート５２を介してメモリ（ＲＡＭ）１５６に保存される（ステップＳ１０４）。この遊技機選択状態を保存する処理が行なわれた後、紙幣識別処理（ステップＳ１０５）に進む。この紙幣識別処理から紙幣収納処理（ステップＳ１０８）までは上記した第１の実施の形態における処理ステップＳ４〜Ｓ７までと同じである。この後メモリ１５６に保存されている遊技機選択状態を読み出し、その選択された遊技機側へ払出ノズル７０が回転移動する（ステップＳ１０９）。この後当該選択された遊技機における売り上げデータが出力ポート５７、信号回路インターフェース回路５８を介して売上信号１１６−１，１１６−２として出力され（ステップＳ１１０）、メダルの払出処理が行なわれる（ステップＳ１１１）。この後、払出ノズル７０は元の待機位置に回転移動する（ステップＳ１１２）。
【００４９】
次に本発明の第３の実施の形態について図１５及び図１６を参照して説明する。ここで、遊技機の選択状態を検出させるのに、上記した２つの紙幣挿入口を設ける代わりに、図１５に示すように遊技者が操作する２つの遊技機指示ボタン９２−１，９２−２を設けてもよい。この構成による制御装置が行う処理について図１６の制御処理フローチャートを参照して具体的に説明する。処理開始から紙幣収納処理（ステップＳ２０１〜Ｓ２０７）までは上記した第１の実施の形態における処理ステップＳ１〜Ｓ７までと同じである。この後、２つの遊技機指示ボタン９２−１，９２−２がいずれも押下されなかった場合には、自分の側にある遊技機指示ボタンを押下するように操作を促す案内を表示装置８５に表示するよう警告表示処理（ステップＳ２０９）を行う。２つの遊技機指示ボタン９２−１，９２−２のいずれかが押下された場合には、押下された遊技機指示ボタン側にある遊技機が選択された状態を示すオン信号がメモリ（ＲＡＭ）に保存される（ステップＳ２１０）。この後はその選択された遊技機側へ払出ノズル９０が回転移動する（ステップＳ２１１）。この後当該選択された遊技機における売り上げデータが売り上げ信号として出力され（ステップＳ２１２）、メダルの払出処理が行なわれる（ステップＳ２１３）。この後、払出ノズル９０は元の待機位置に回転移動する（ステップＳ２１４）。
【００５０】
又、上記した２つの紙幣挿入口を設ける代わりに、左右の近接センサを設けてもよい。これは、近接センサで紙幣挿入口に紙幣を入れようとする手、腕を検出するというものである。
【００５１】
尚、上記した種々の制御は、制御装置内の１つのＣＰＵが処理しているものであるが、これを、例えば遊技機選択信号を受け、メダル払出装置に対して、メダルを払出ノズルから払い出すよう制御する払出制御と売上信号送出制御を別々のＣＰＵで処理するようにしてもよいことは言うまでもない。
【図面の簡単な説明】
【００５２】
【図１】本発明の第１の実施形態に係るメダル貸出装置の正面図である。
【図２】図１のメダル貸出装置のブロックダイアグラム図である。
【図３】払出ノズルの回転可動による遊技機選択センサの動作を説明する図である。
【図４】払出ノズルの回転可動による遊技機選択センサの動作を説明する図である。
【図５】第１の実施の形態に係るメダル貸出装置の動作を説明する制御処理フローチャートである。
【図６】本発明に係る売上データ管理システムの構成を示したブロック図である。
【図７】紙幣識別処理及び遊技機選択状態検出処理に基づいて売上信号を出力する制御装置の内部構成を示した図である。
【図８】ノズル駆動手段の構成を示した図である。
【図９】本発明の第２の実施形態に係るメダル貸出装置の正面図である。
【図１０】図９のメダル貸出装置のブロックダイアグラム図である。
【図１１】紙幣挿入による遊技機選択状態の検出原理を説明する図である。
【図１２】紙幣挿入口が２つある紙幣挿入部を示した斜視図である。
【図１３】第２の実施の形態に係るメダル貸出装置の動作を説明する制御処理フローチャートである。
【図１４】第２の実施の形態における、紙幣識別処理及び遊技機選択状態検出処理に基づいて売上信号を出力する制御装置の内部構成を示した図である。
【図１５】本発明の第３の実施形態に係るメダル貸出装置の正面図である。
【図１６】第３の実施の形態に係るメダル貸出装置の動作を説明する制御処理フローチャートである。
【図１７】従来の売上データ管理システムの構成を示した図である。
【図１８】従来の他の売上データ管理システムの構成を示した図である。
【符号の説明】
【００５３】
１，１−１，１−２，６１，８１    メダル貸出装置
２，６２，８２    紙幣識別機扉
３，６３，８３    紙幣識別機扉錠
４，６４−１，６４−２    紙幣挿入口
５，６５，８５    表示装置
６，６６，８６    メダル補給用扉
７，７７，８７    メダル補給用扉錠
８，６８，８８    払出装置扉
９，６９，８９    メダル払出装置扉錠
１０，７０，９０    払出ノズル
１１，１１１    紙幣識別装置
１２，１１２  メダル払出装置
１３，１１３    メダル貯留タンク
１４，１１４    メダル要求センサ
１５，１１５    制御装置
１６−１〜４，１１６−１〜２    売上信号
１７，１１７    補給信号
１９，１１９    メダル自動供給装置
２０    ホールコンピュータ
２１，２２，１２１，１２２    遊技機選択センサ
２３，２３−１〜４    遊技機
２４    受皿
２５，２６    位置検出インデックス
２７    待機位置保持バネ
３１，１３１    紙幣挿入センサ
３２，１３２    光識別センサ
３３，１３３    磁気識別センサ
３４，１３４    搬送モータ
３５，１３５    メダル払出センサ
３６，１３６    メダル払出モータ
５１，１５１    ＣＰＵ
５２，１５２    入力ポート
５３，１５３    アナログ入力ポート
５４，１５４    出力ポート
５５，１５５    ＲＯＭ
５６，１５６    ＲＡＭ
５７，１５７    出力ポート
５８，１５８    信号出力インターフェース回路
７１，９１    ノズル駆動装置
９２−１，９２−２    遊技機指示ボタン
１５２    入力ポート
１５６    ＲＡＭ
２００    モータ
３００    ギヤボックス
【図１】
2005102990.tif 000003
【図２】
2005102990.tif 000004
【図３】
2005102990.tif 000005
【図４】
2005102990.tif 000006
【図５】
2005102990.tif 000007
【図６】
2005102990.tif 000008
【図７】
2005102990.tif 000009
【図８】
2005102990.tif 000010
【図９】
2005102990.tif 000011
【図１０】
2005102990.tif 000012
【図１１】
2005102990.tif 000013
【図１２】
2005102990.tif 000014
【図１３】
2005102990.tif 000015
【図１４】
2005102990.tif 000016
【図１５】
2005102990.tif 000017
【図１６】
2005102990.tif 000018
【図１７】
2005102990.tif 000019
【図１８】
2005102990.tif 000020